(57)【要約】【課題】温度変化又は表示装置に対する外力等によって、スピーカ保護板が取付板から外れることを防止する表示装置を提供する。【解決手段】スピーカと、帯状をなし、該スピーカの前方に設けられたスピーカ保護板１５と、該スピーカ保護板１５を前面に取り付ける取付板１０とを備える表示装置において、前記取付板１０は、前後方向に貫通した孔を前記スピーカ保護板１５の長手方向における両側部に有し、前記スピーカ保護板１５の長手方向における側端部が挿入されており、前記スピーカ保護板１５を前後方向から挟む溝部３４が設けられ、該溝部３４によって前記側端部を覆う覆部３、３、及び前記孔に挿入し、先端に設けられた係止部２１が前記孔の後端周縁にて前記取付板１０を係止する挿入部を有する側端覆体１が、前記スピーカ保護板１５の両側端部に夫々設けられていることを特徴とする。【選択図】図１７
2015090441.tif 000002
【特許請求の範囲】
【請求項１】
スピーカと、帯状をなし、該スピーカの前方に設けられたスピーカ保護板と、該スピーカ保護板を前面に取り付ける取付板とを備える表示装置において、
前記取付板は、前後方向に貫通した孔を前記スピーカ保護板の長手方向における両側部に有し、
前記スピーカ保護板の長手方向における両側の側端部に、夫々側端覆体が設けられており、
該側端覆体は、前記スピーカ保護板を前後方向から挟む溝部が設けられており、該溝部に前記側端部が挿入されることによって前記側端部を覆う覆部と、前記孔に挿入し、先端に設けられた係止部が前記孔の後端周縁にて前記取付板を係止する挿入部とを有する
ことを特徴とする表示装置。
【請求項２】
前記挿入部は、前記孔の周面側に突出している突出部を備える
ことを特徴とする請求項１に記載の表示装置。
【請求項３】
前記溝部前面又は溝部背面にはリブが設けられており、
該リブと前記スピーカ保護板とが接触している
ことを特徴とする請求項１又は２に記載の表示装置。
【請求項４】
前記溝部前面は前記溝部背面よりも前記長手方向の長さが短い
ことを特徴とする請求項３に記載の表示装置。
【請求項５】
前記溝部の底部と前記側端部との間には、間隙が設けられている
ことを特徴とする請求項１から４までのいずれか一つに記載の表示装置。
【発明の詳細な説明】
【技術分野】
【０００１】
本発明は、スピーカと該スピーカの前方に保護板が設けられた表示装置に関する。
【背景技術】
【０００２】
表示装置において、スピーカを保護するため、スピーカの前方に金属製の網板等の板状のスピーカ保護板が設けられることがある。このような保護板を用いる場合、表示装置に美観を持たせるため、スピーカ保護板の側部を覆体によって覆うことがある。
【先行技術文献】
【特許文献】
【０００３】
【特許文献１】特開昭６１−０５１６８７号公報
【発明の概要】
【発明が解決しようとする課題】
【０００４】
しかし、特許文献１に記載されているような構造を用いて表示装置にスピーカ保護板を取り付ける場合には、温度変化又は表示装置に対する外力等による影響を受け、スピーカ保護板が覆体から外れるという問題が生じる。
【０００５】
本発明は斯かる事情に鑑みてなされたものであり、温度変化又は表示装置に対する外力等によって、スピーカ保護板が取付板から外れることを防止する表示装置を提供することを目的とする。
【課題を解決するための手段】
【０００６】
本発明に係る表示装置は、スピーカと、帯状をなし、該スピーカの前方に設けられたスピーカ保護板と、該スピーカ保護板を前面に取り付ける取付板とを備える表示装置において、前記取付板は、前後方向に貫通した孔を前記スピーカ保護板の長手方向における両側部に有し、前記スピーカ保護板の長手方向における両側の側端部に、夫々側端覆体が設けられており、該側端覆体は、前記スピーカ保護板を前後方向から挟む溝部が設けられており、該溝部に前記側端部が挿入されることによって前記側端部を覆う覆部と、前記孔に挿入し、先端に設けられた係止部が前記孔の後端周縁にて前記取付板を係止する挿入部とを有することを特徴とする。
【０００７】
本発明に係る表示装置は、前記挿入部は、前記孔の周面側に突出している突出部を備えることを特徴とする。
【０００８】
本発明に係る表示装置は、前記溝部前面又は溝部背面にはリブが設けられており、該リブと前記スピーカ保護板とが接触していることを特徴とする。
【０００９】
本発明に係る表示装置は、前記溝部前面は前記溝部背面よりも前記長手方向の長さが短いことを特徴とする。
【００１０】
本発明に係る表示装置は、前記溝部の底部と前記側端部との間には、間隙が設けられていることを特徴とする。
【００１１】
本発明に係るテレビジョン受信機は、上述の表示装置と、テレビジョン放送波を受信するチューナと、表示部とを備え、前記表示部は、前記チューナが受信したテレビジョン放送波に基づく映像を表示することを特徴とする。
【発明の効果】
【００１２】
本発明によれば、スピーカ保護板の側端を前後方向から挟んで覆い、かつ取付板に係止する側端覆体を設けることにより、温度変化又は表示装置に対する外力等によって、スピーカ保護板が取付板から外れることを防止することができる。
【図面の簡単な説明】
【００１３】
【図１】表示装置を示す前面斜視図である。
【図２】表示装置を示す分解斜視図である。
【図３】バックライトシャーシ及び取付板を示す背面側の分解斜視図である。
【図４】取付板の部分正面図である。
【図５】取付板の部分背面図である。
【図６】側端覆体、取付板及びスピーカ保護板を示す前面斜視図である。
【図７】側端覆体、取付板及びスピーカ保護板を示す前面分解斜視図である。
【図８】スピーカ保護板の前面斜視図である。
【図９】スピーカ保護板の背面斜視図である。
【図１０】側端覆体を示す左側面図である。
【図１１】側端覆体を示す右側面図である。
【図１２】側端覆体を示す左前面斜視図である。
【図１３】側端覆体を示す右前面斜視図である。
【図１４】スピーカ保護板が挿入された側端覆体を示す模式的上面図である。
【図１５】側端覆体及びスピーカ保護板を示す前面斜視図である。
【図１６】挿入部が挿入孔に挿入される途中を示す模式的上面図である。
【図１７】取付板、スピーカ保護板及び側端覆体の位置が固定された状態を示す模式的上面図である。
【図１８】取付板、スピーカ保護板及び側端覆体の位置が固定された状態を示す前面部分斜視図である。
【図１９】側部覆体の左側面図及びスピーカ保護板の部分背面斜視図である。
【図２０】側部覆体の左側面図及びスピーカ保護板の部分背面斜視図である。
【図２１】側部覆体の左側面図及びスピーカ保護板の部分背面斜視図である。
【発明を実施するための形態】
【００１４】
第１の実施の形態
本実施の形態における表示装置９０について説明する。図１は表示装置９０を示す前面斜視図である。表示装置９０は、フレーム６１、表示部６２、チューナ基板５１及び制御基板５２を備える。以下において、図１における上下方向を上下方向、左右方向を左右方向、手前方向を前方、奥方向を後方とする。
【００１５】
表示部６２は表示画面を前面に有する横長の矩形板状をなした液晶パネルであり、表示画面に映像が表示される。
【００１６】
表示装置９０の背面側にはチューナ基板５１と、制御基板５２とが設けられている。チューナ基板５１は、チューナを備える。表示装置９０は、チューナ基板５１のチューナより受信したテレビジョン放送に基づいて、表示部６２に映像を表示するテレビジョン受信機として機能する。制御基板５２はＣＰＵ（Central Processing Unit）を備え、表示部６２を電気的に制御する。
【００１７】
さらに、表示装置９０の下方における両端付近には、スピーカ５３、５３が夫々設けられている。スピーカ５３、５３は、チューナ基板５１のチューナより受信したテレビジョン放送に基づいて放音する。
【００１８】
図２は、表示装置９０を示す分解斜視図である。表示装置９０は、さらにフレーム６１、表示部６２、光学シート６３、枠体６４、導光板６５、反射シート６６、発光部６７、放熱体６８及びバックライトシャーシ８０を備える。
【００１９】
フレーム６１はアルミニウム製であり、断面がＬ字状をなした４本の杆体の端部が夫々連結することにより、横長の矩形状の枠体をなす。表示部６２は、前面側の周縁がフレーム６１と周に沿って接触している。
【００２０】
光学シート６３は、表示部６２の背面側に設けられている。光学シート６３は、合成樹脂製であって横長の略矩形板状をなしており、複数枚が前後方向に積層されている。各光学シート６３は夫々、プリズムシート、拡散シート又は反射偏光シート等である。
【００２１】
枠体６４は、樹脂製である４本の杆体の端部が夫々連結することにより、横長の矩形状の枠体をなす。枠体６４は、光学シート６３の端部を係止して、光学シート６３の位置を光学シート６３の背面側から保持している。
【００２２】
導光板６５は、表示部６２と略同形状の横長略矩形状をなしており、枠体６４の背面側に設けられている。導光板６５は、発光部６７から内部に入射された光を出射する。
【００２３】
反射シート６６は、導光板６５とバックライトシャーシ８０との間に配設される横長矩形状のシートである。反射シート６６は、導光板６５の背面と略同一の形状をなす。反射シート６６は、導光板６５の背面に配置されており、導光板６５から出射される光のうち、背面側に出射された光を前面側に反射する。
【００２４】
発光部６７、６７は、複数のＬＥＤ光源が長手方向に直線状に配列され、全体として杆体をなしている。発光部６７、６７は、上端及び下端に夫々、導光板６５の長手方向と平行であって、発光部６７、６７の光源同士が対向するように配置されている。斯かる配置により、発光部６７、６７は夫々光を出射し、出射された光は、導光板６５の上側面及び下側面から内部に向かう。
【００２５】
放熱体６８、６８は、杆体をなし、導光板６５の上端及び下端に、導光板６５の長手方向と平行になるように夫々配置されている。放熱体６８、６８は、発光部６７、６７を支持しており、発光部６７、６７に溜まった熱を放熱する。
【００２６】
バックライトシャーシ８０は、金属製の箱状であり、底面が横長の矩形板状をなす。表示部６２は、背面側の周縁が枠体６４と接触しており、前面が表示面となるように位置が固定される。光学シート６３は、導光板６５を介して発光部６７、６７から発せられる光を均一に拡散する。
【００２７】
図３は、バックライトシャーシ８０及び取付板１０を示す背面側の分解斜視図である。図４は、取付板１０を示す部分正面図である。図５は、取付板１０の部分背面図である。図５は、図４が示す取付板１０の部分の背面側を示している。図４及び図５は、取付板１０の正面視右側の一部の前面及び背面を示したものである。
【００２８】
バックライトシャーシ８０は、導光板６５の背面側に設けられており、取付板１０と接合している。バックライトシャーシ８０は、金属製の箱状であり、横長の矩形板状をなす。バックライトシャーシ８０は、背面側の下方に、螺子孔８２、８２…が設けられている。また、バックライトシャーシ８０の背面側の下方には、左右方向に対称な位置に２カ所、上下方向に沿って背面側に凸状をなしている金属製の凸状部材８１、８１が取り付けられている。従って、凸状部材８１、８１がバックライトシャーシ８０の背面に螺子止めされることにより、バックライトシャーシ８０及び凸状部材８１、８１によって、下側が開口し、上下方向に長い空洞を形成する。
【００２９】
取付板１０は、左右方向の長さがバックライトシャーシ８０の左右方向の長さに略等しく、上下方向の長さが表示部６２より短い樹脂製の板部材である。取付板１０は、シャーシ設置板１００及び突出部１１０を備える。シャーシ設置板１００は、左右方向に長い略平板状をなし、表示装置９０の前後方向に面するように配置されている。シャーシ設置板１００はさらに、係止爪１１、１１及び貫通孔１２、１２…を備える。
【００３０】
係止爪１１は、シャーシ設置板１００の上端から上方に突出している。係止爪１１は、凸状部材８１、８１同士の間隔と等しい間隔を置いた位置に２カ所設けられている。また、貫通孔１２は、前後方向に貫通しており、シャーシ設置板１００全体に間隔を空けて設けられている。係止爪１１、１１は、バックライトシャーシ８０及び凸状部材８１により形成された空洞に挿入される。係止爪１１、１１は、凸状部材８１、８１の開口に挿入されることにより、バックライトシャーシ８０が取付板１０の前面側の上方と接するように位置が固定される。
【００３１】
また、貫通孔１２、１２…及び螺子孔８２、８２…には、螺子が貫通される。これにより、取付板１０及びバックライトシャーシ８０の位置が固定される。
【００３２】
取付板１０における下部には、左右方向に沿って前面側に突出している突出部１１０が設けられている。突出部１１０は、矩形孔１３及び挿入孔１４を備える。突出部１１０の前面側における両側には、矩形孔１３、１３…が、左右方向に沿って夫々複数設けられている。矩形孔１３、１３…は、スピーカ５３、５３の前方に設けられている。
【００３３】
矩形孔１３、１３…によって前後方向が開放されていることにより、取付板１０の背面側に設けられたスピーカ５３、５３が放つ音が前面側に届きやすくなる。また、突出部１０の上方及び下方には、夫々、左右方向全体に亘って細長い取付孔１１１、１１１…が間隔を置いて複数設けられている。
【００３４】
突出部１１０には、矩形孔１３、１３…よりも側端に近い側に、上下方向に長く、左右方向の幅が狭い挿入孔１４が前後方向に設けられている。挿入孔１４は左右方向及び上下方向の大きさが、深さ方向である前後方向の位置によらずほぼ一定である。挿入孔１４の上下方向中央には、左右方向に延びた板状の仕切板１４０が設けられており、挿入孔１４が上下に仕切られている。
【００３５】
図４及び図５は、正面視右側の挿入孔１４について示しているが、左右方向に対称な位置にも、挿入孔１４と左右対称な位置に、左右対称な形状をなす挿入孔１４が設けられている。
【００３６】
図６は、側端覆体１、取付板１０及びスピーカ保護板１５を示す前面斜視図である。図７は、側端覆体１、取付板１０及びスピーカ保護板１５を示す前面分解斜視図である。表示装置９０において、取付板１０の下方前面にはスピーカ保護板１５が設けられており、下方側面には、側端覆体１が設けられている。側端覆体１、取付板１０及びスピーカ保護板１５は夫々分離可能である。
【００３７】
図８は、スピーカ保護板１５の前面斜視図である。図９は、スピーカ保護板１５の背面斜視図である。スピーカ保護板１５は、突起１６を備える。スピーカ保護板１５は、断面が前面側に凸である略弧状をなした杆体である。スピーカ保護板１５は例えばアルミニウム等の金属製であり網目が全面に設けられたパンチングネットであるが、樹脂製であってもよく、その他の材質であってもよい。また、スピーカ保護板１５は、パンチングネットのような網目状でなくともよい。スピーカ保護板１５の長手方向の長さは、２つの挿入孔１４、１４の間隔よりも長い。スピーカ保護板１５は、外力が加わらない状態では自身の形状を維持できる材質である。
【００３８】
スピーカ保護板１５は、左右方向である長手方向に略直線状をなしている。また、長手方向中央部分は、短手方向の一端から内部に凹部が設けられている。従ってスピーカ保護板１５は、中央部分が他の部分より細くなっている。
【００３９】
スピーカ保護板１５は、上端及び下端に、夫々長手方向に沿って間隔を置いた複数の突起１６、１６…が設けられている。スピーカ保護板１５における上側及び下側夫々の側端付近に設けられた突起１６、１６…の形状は、基部より先端の方が長手方向に幅が広い形状をなしている。スピーカ保護板１５における上側下側夫々の中央側に設けられた突起１６、１６…は、平面視略台形状をなし、中央に孔が設けられた板状をなしている。突起１６、１６…は、上下方向に面しており、後側に向かって突出している。
【００４０】
側端覆体１について説明する。側端覆体１は樹脂製であり、可撓性を有する。図１０は、側端覆体１を示す左側面図である。図１１は、側端覆体１を示す右側面図である。図１２は、側端覆体１を示す左前面斜視図である。図１３は、側端覆体１を示す右前面斜視図である。側端覆体１は表示装置９０の両側に夫々設けられているが、図１０から図１３までは、正面視右側の側端覆体１を示している。正面視左側の側端覆体１は、正面視右側の側端覆体１と、左右方向を向いた面に対して対称である他は、正面視右側の側端覆体１と同じ形状をなす。
【００４１】
側端覆体１は、板状の挿入部２及び該挿入部２の外側面の前端から外側方向に延びた覆部３を備える。覆部３は、第１側壁部３１、接続部３２、第２側壁部３３、リブである内部リブ３１１、３１１…を備える。
【００４２】
第１側壁部３１は左右方向の長さが一定であり、上下方向の断面が、スピーカ保護板１５の断面に沿って前方に凸になるように曲がった曲板である。第１側壁部３１は、面が前後方向を向くように配置されている。
【００４３】
第１側壁部３１の前方の面には、内部リブ３１１、３１１…が設けられている。内部リブ３１１、３１１…は左右方向に延びた細長い形状をなしており、前方の面の上下方向に沿って間隔を置いて設けられている。また、第１側壁部３１は、外側の端が接続部３２に繋がっている。
【００４４】
接続部３２は、第１側壁部３１の外側と周に沿って接続されている曲板である。接続部３２は、上下方向に延びた形状をなし、左右方向に面した帯状をなしている。接続部３２は、前方である幅方向が凸になるように、スピーカ保護板１５の断面の形状に従って前後方向に曲がった曲板である。
【００４５】
第２側壁部３３は、接続部３２の前側と周に沿って接続されている曲板である。第２側壁部３３は左右方向の幅が一定であり、スピーカ保護板１５の断面に沿って前方に凸になるように曲がった曲板である。第１側壁部３１は、面が前後方向を向くように配置されている。第２側壁部３３は、第１側壁部３１と平行になるように前後方向に配列されている。また、第２側壁部３３は、第１側壁部３１より左右方向の長さが短い。
【００４６】
第１側壁部３１、接続部３２及び第２側壁部３３により、左右方向の内側から外側に向かう溝部３４が形成される。溝部３４は、開口部がスピーカ保護板１５の側面に沿っており、スピーカ保護板１５の側面よりも幅が広い形状をなしている。また、溝部３４の幅及び長さは溝部３４の深さによらず一定である。
【００４７】
なお、本実施の形態では、溝部３４を形成している第１側壁部３１の前面には、内部リブ３１１、３１１…が設けられ、第２側壁部３２の後面にはリブ内部リブ３１１、３１１には設けられていない。しかし、第２側壁部３２の後面に内部リブ３１１、３１１…が設けられていてもよい。また、その場合、第１側壁部３１の前面には、内部リブ３１１、３１１…が設けられていても、設けられていなくてもよい。
【００４８】
挿入部２は、板状をなし、両面が左右方向を向いている。挿入部２は、上側、後側及び下側の周縁が夫々直線状をなし、上側の周縁と後側の周縁、及び後側の周縁と下側の周縁とは直角をなしている挿入部２の前方は、スピーカ保護板１５の断面に沿った弧状の周縁を有している。
【００４９】
また、挿入部２は、上下２つに分離しており、内側面後方には、係止部２１が設けられている。係止部２１は、表示装置の左右方向内側に向けて突出しており、後端が薄く前方が厚くなるような厚みをなしている。従って、係止部２１は前後方向を係止可能な構造になっている。
【００５０】
挿入部２の内側面前方には、内側突出部２３１、２３１、２３１が設けられている。内側突出部２３１、２３１、２３１は、上下方向に間隔を置いて並置されており、夫々前後方向に延びた略矩形状をなしている。内側突出部２３１は、中央の内側突出部２３１、下方の内側突出部２３１、上方の内側突出部２３１の順に前後方向の長さが長いが、後端の位置は一致している。内側突出部２３１、２３１、２３１は、後方が、後端から前方に向かうに連れて突出量が大きくなる斜面をなしており、頂面の中央部分が平坦である。
【００５１】
挿入部２の外側面前方には、外側突出部２４１、２４１が設けられている。外側突出部２４１は、上下に分離した挿入部２の上側中央に設けられており、外側突出部２４１は、下側中央に夫々設けられている。外側突出部２４１、２４１は、前後方向に延びた細長い形状をなしている。外側突出部２４１、２４１は、後方が、後端から前方に向かうに連れて突出量が大きくなる斜面をなしており、中央から前方にかけては、平坦な形状をなしている。また、外側突出部２４１、２４１の前端は、第１側壁部３１の裏側と繋がっている。
【００５２】
続いて、側端覆体１及びスピーカ保護板１５が取付板１０に取り付けられる様子を示す。図１４は、スピーカ保護板１５が挿入された側端覆体１を示す模式的上面図である。図１５は、側端覆体１及びスピーカ保護板１５を示す前面斜視図である。
【００５３】
側端覆体１、１は、スピーカ保護板１５の両側端に夫々取りつけられる。その際、スピーカ保護板１５の両側端を、側端覆体１の溝部３４の底部にまで十分に押しこむ。スピーカ保護板１５の側端部が溝部３４に挿入されることにより、挿入部２とスピーカ保護板１５の長手方向とが垂直をなす。
【００５４】
すると、内部リブ３１１と溝部３４の前方の側面とによって、スピーカ保護板１５が挟持される。即ち、スピーカ保護板１５の側端及びその近傍は、第２側壁部３３の内面と第１側壁部３１の内面に設けられた内部リブ３１１、３１１…とにより、前後方向に隙間なく挟まれている。これにより、スピーカ保護板１５と側端覆体１とは前後方向に仮固定された状態となり、スピーカ保護板１５と側端覆体１とは、一体の部品として作業ができる。一方、スピーカ保護板１５は溝部３４内において、左右方向には摺動可能である。
【００５５】
図１６は、挿入部２が挿入孔１４に挿入される途中を示す模式的上面図である。挿入孔１４の左右方向内側に設けられ左右方向に面した板状をなす内側板１４１、及び挿入孔１４の左右方向外側に設けられ左右方向に面した板状をなす外側板１４２の外面が、夫々挿入孔１４の内面及び外面にあたる。
【００５６】
挿入孔１４、１４の間隔は、スピーカ保護板１５と一体となった側端覆体の挿入部２、２の間隔より広い。そのため、挿入孔１４、１４に挿入部２，２を挿入する際は、挿入部２、２が外側に開く様に挿入されていく。
【００５７】
図１７は、取付板１０、スピーカ保護板１５及び側端覆体１の位置が固定された状態を示す模式的上面図である。挿入孔１４、１４の間隔は、スピーカ保護板１５と一体となった側端覆体１、１の挿入部２、２の間隔より広いことから、側端覆体１、１の取付が完了すると、側端覆体１、１は、夫々の外側方向、即ち、スピーカ保護板１５から離れる方向に移動する。そのため、スピーカ保護板１５の側端部と、溝部３４、３４の底部との間に間隔が生じ、スピーカ保護板１５と側端覆体１、１との関係は遊嵌状態となる。
【００５８】
このように取付後には、スピーカ保護板１５と側端覆体１とを遊嵌状態とすることができるので、スピーカ保護板１５が熱により左右方向に膨張又は収縮したとしても、側端覆体１が斯かる膨張又は収縮に応じて位置が変動することがない。もし、スピーカ保護板１５と側端覆体１とが左右方向にも固定されたままであると、スピーカ保護板１５の膨張、収縮に応じて、側端覆体１も左右方向に移動することになり、取付板１０との段差が発生することになる。なお、内側突出部２３１、２３１、２３１及び外側突出部２４１、２４１は、挿入完了後のガタつき防止の役割を果たす。
【００５９】
このように、取付時には、内部リブ３１１及び溝部３４によって、スピーカ保護板１５と側端覆体１、１とを一体化することで作業性を向上させることができる。また、スピーカ保護板１５と側端覆体１、１とを一体化した際の挿入部２、２の間隔を、取付板１０の挿入孔１４、１４の間隔よりも狭くすることによって製品外観の品位を保つことができる。
【００６０】
加えて、側端覆体１は、上述した通り、挿入部２の前端から左右方向に延びた第１側壁部３１を用いて、左右方向に延びた溝部３４が形成されており、該溝部３４は、挿入孔１４、１４よりも外側に配置されて、スピーカ保護板１５の側端部を挟持する。従って、例えば、スピーカ保護板１５の側端部における後方から取付板１０が、前方から覆体が挟む構造等と比較した場合、スピーカ保護板１５の長さを、挿入孔１４、１４の間隔よりも長くすることができる。さらに、第２側壁部３３は、第１側壁部３１よりも左右方向の寸法を短くすることにより、表示装置９０の正面視において、側端覆体１を目立たなくすることができる。
【００６１】
図１８は、取付板１０、スピーカ保護板１５及び側端覆体１の位置が固定された状態を示す前面部分斜視図である。また、挿入部２に加え、内側突出部２３１、２３１、２３１及び外側突出部２４１、２４１の左右方向の厚みにより、挿入孔１４内での挿入部２の左右方向の位置が固定される。
【００６２】
また、挿入部２を挿入孔１４に挿入することにより、左右方向について、側端覆体１が取付板１０に固定される。これにより、溝部３４の底部とスピーカ保護板１５の側端との間に隙間が設けられる。これにより、スピーカ保護板１５の温度が上昇した場合であっても、スピーカ保護板１５又は側端覆体１が変形することなく伸縮することができる。なお、挿入部２が二つに分離することにより形成されている凹部には、仕切板１４０が配置されて、上下方向の位置が固定される。
【００６３】
本実施の形態に係る表示装置９０は、スピーカ５３、５３と、帯状をなし、該スピーカ５３、５３の前方に設けられたスピーカ保護板１５と、該スピーカ保護板１５を前面に取り付ける取付板１０とを備える表示装置９０において、前記取付板１０は、前後方向に貫通した孔を前記スピーカ保護板１５の長手方向における両側部に有し、前記スピーカ保護板１５の長手方向における両側の側端部に、夫々側端覆体１が設けられており、該側端覆体１は、前記スピーカ保護板１５を前後方向から挟む溝部３４が設けられており、該溝部３４に前記側端部が挿入されることによって前記側端部を覆う覆部３、３と、前記孔に挿入し、先端に設けられた係止部２１が前記孔の後端周縁にて前記取付板１０を係止する挿入部２とを有することを特徴とする。
【００６４】
本実施の形態によれば、スピーカ保護板１５の側端部を前後方向から挟んで覆い、かつ取付板１０に係止する側端覆体１を設けることにより、温度変化又は表示装置９０に対する外力等によって、スピーカ保護板１５が取付板１０から外れることを防止することができる。
【００６５】
本実施の形態に係る表示装置９０は、前記挿入部２は、前記孔の周面側に突出している突出部を備えることを特徴とする。
【００６６】
本実施の形態によれば、斯かる突出部を有することにより、挿入部２を孔に挿入することが容易になる。また、挿入部２を挿入した後、突出部が突出していることにより、スピーカ保護板１５の長手方向において、孔と挿入部との間隔が狭まり、位置が固定されるようになる。
【００６７】
本実施の形態に係る表示装置９０は、前記溝部３４前面又は溝部３４背面にはリブが設けられており、該リブと前記スピーカ保護板１５とが接触していることを特徴とする。
【００６８】
本実施の形態によれば、斯かるリブが設けられていることにより、溝部３４の前後方向における幅が狭くなるため、溝部３４がスピーカ保護板１５の側端部を前後方向に挟む力が強くなり、温度変化又は表示装置９０に対する外力等によって、スピーカ保護板１５が取付板１０から外れることを防止することができる。
【００６９】
本実施の形態に係る表示装置９０は、前記溝部３４前面は前記溝部３４背面よりも前記長手方向の長さが短いことを特徴とする。
【００７０】
本実施の形態によれば、表示装置９０を正面から見た場合に、側端覆体１が目立たなくなるため、美観を向上させながら、スピーカ保護板１５が取付板１０から外れることを防止することができる。
【００７１】
本実施の形態に係る表示装置９０は、前記溝部３４の底部と前記側端部との間には、間隙が設けられていることを特徴とする。
【００７２】
本実施の形態によれば、溝部３４の底部と側端部との間に間隙が設けられていることにより、スピーカ保護板１５が温度の上昇により長手方向に伸長した場合であっても、スピーカ保護板１５又は側端覆体１が変形することを防止することができる。
【００７３】
本実施の形態に係るテレビジョン受信機は、上述の表示装置９０と、テレビジョン放送波を受信するチューナと、表示部６２とを備え、前記表示部６２は、前記チューナが受信したテレビジョン放送波に基づく映像を表示することを特徴とする。
【００７４】
第２の実施の形態
第２の実施の形態について説明する。本実施の形態は、側端覆体１及びスピーカ保護板１５の形状が第１の実施の形態と異なる。図１９〜図２１は、側部覆体１の左側面図及びスピーカ保護板１５の部分背面斜視図である。
【００７５】
図１９は、スピーカ保護板１５の縦断面が、上端及び下端が同じ突出量で前方に突出し、中央が平坦な薄いコの字断面形状をなしている。挿入部２の前端、第１側壁部３１、接続部３２及び第２側壁部３３は、スピーカ保護板１５の縦断面に沿った、上端及び下端が同じ突出量で前方に突出し、中央が平坦な形状をなしている。従って、側端覆体１における溝部３４は、スピーカ保護板１５の縦断面に沿った形状をなしており、斯かる溝部３４にスピーカ保護板１５の側端部が挿入される。内部リブは３１１、３１１…は、第１側壁部３１の前方、上方及び下方に夫々設けられているところ、スピーカ保護板１５との接触が多い前方部分に、内部リブ３１１が多く配置される。
【００７６】
側端覆体１及びスピーカ保護板１５を、図１９に示す形状とすることで、全体を薄くフラットに見せることができる。図１９に示す側端覆体１及びスピーカ保護板１５の形状は、例えば、大型の表示装置９０に、大型のスピーカ５３、５３を用いる場合であって、スピーカ５３、５３を目立たせず、全体として統一感を持たせたいときに好適である。
【００７７】
図２０は、スピーカ保護板１５の縦断面が、中央が前方に向かって突出しており、上端から中央及び下端から中央の夫々が直線状をなした形状をなしている。挿入部２の前端、第１側壁部３１、接続部３２及び第２側壁部３３は、スピーカ保護板１５の縦断面に沿った、前方に向かって凸状をなしている。従って、側端覆体１における溝部３４が、スピーカ保護板１５の縦断面に沿った形状をなしており、斯かる溝部３４にスピーカ保護板１５の側端部が挿入される。内部リブは３１１、３１１…は、第１側壁部３１の頂点を除いた部分に距離を置いて複数設けられている。図２０に示す側端覆体１について、内部リブ３１１、３１１が頂点に設けられない理由は、頂点に対応するスピーカ保護板１５の曲げ部の成形ばらつきによって、側端覆体１との嵌合状態が変化しやすく、内部リブ３１１との位置関係も変化しやすいからである。
【００７８】
図２１は、スピーカ保護板１５の縦断面が、下端が上端より前方に突出して頂点が下端に設けられており、上端から下端までが直線状をなしている。挿入部２の前端、第１側壁部３１、接続部３２及び第２側壁部３３は、スピーカ保護板１５の縦断面に沿った形状をなし、下端が上端より前方に突出して頂点が下端に設けられており、上端から下端までが直線状をなしている。従って、側端覆体１における溝部３４は、スピーカ保護板１５の縦断面に沿った形状をなしており、斯かる溝部３４にスピーカ保護板１５の側端部が挿入される。内部リブは３１１、３１１…は、第１側壁部３１の頂点を除いた部分に距離を置いて複数設けられている。
【００７９】
図２１に示す側端覆体１及びスピーカ保護板１５は、例えば小型の表示装置９０であって、スピーカ５３、５３付近を台座の一部とする場合に用いられる。
【００８０】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００８１】
１  側端覆体
２  挿入部
２１  係止部
２３１  内側突出部
２４１  外側突出部
３  覆部
３１  第１側壁部
３１１  内部リブ
３２  接続部
３３  第２側壁部
３４  溝部
１０  取付板
１００  シャーシ設置板
１１０  突出部
１１１  取付孔
１１  係止爪
１２  貫通孔
１３  矩形孔
１４  挿入孔
１４０  仕切板
１４１  内側板
１４２  外側板
１５  スピーカ保護板
１６  突起
５１  チューナ基板
５２  制御基板
５３  スピーカ
６１  フレーム
６２  表示部
６３  光学シート
６４  枠体
６５  導光板
６６  反射シート
６７  発光部
６８  放熱体
８０  バックライトシャーシ
８１  凸状部材
８２  螺子孔
９０  表示装置
【図１】
2015090441.tif 000003
【図２】
2015090441.tif 000004
【図３】
2015090441.tif 000005
【図４】
2015090441.tif 000006
【図５】
2015090441.tif 000007
【図６】
2015090441.tif 000008
【図７】
2015090441.tif 000009
【図８】
2015090441.tif 000010
【図９】
2015090441.tif 000011
【図１０】
2015090441.tif 000012
【図１１】
2015090441.tif 000013
【図１２】
2015090441.tif 000014
【図１３】
2015090441.tif 000015
【図１４】
2015090441.tif 000016
【図１５】
2015090441.tif 000017
【図１６】
2015090441.tif 000018
【図１７】
2015090441.tif 000019
【図１８】
2015090441.tif 000020
【図１９】
2015090441.tif 000021
【図２０】
2015090441.tif 000022
【図２１】
2015090441.tif 000023
【手続補正書】
【提出日】平成26年11月4日(2014.11.4)
【手続補正１】
【補正対象書類名】明細書
【補正対象項目名】０００６
【補正方法】変更
【補正の内容】
【０００６】
本発明に係る表示装置は、スピーカと、帯状をなし、該スピーカの前方に設けられたスピーカ保護板と、該スピーカ保護板を前面に取り付ける取付板とを備える表示装置において、前記取付板は、前後方向に貫通した孔を前記スピーカ保護板の長手方向における両側に有し、前記スピーカ保護板の長手方向における両側の側端部に、夫々側端覆体が設けられており、該側端覆体は、前記スピーカ保護板を前後方向から挟む溝部が設けられており、該溝部に前記側端部が挿入されることによって前記側端部を覆う覆部と、前記孔に挿入し、先端に設けられた係止部が前記孔の後端周縁にて前記取付板を係止する挿入部とを有することを特徴とする。
【手続補正２】
【補正対象書類名】特許請求の範囲
【補正対象項目名】全文
【補正方法】変更
【補正の内容】
【特許請求の範囲】
【請求項１】
スピーカと、帯状をなし、該スピーカの前方に設けられたスピーカ保護板と、該スピーカ保護板を前面に取り付ける取付板とを備える表示装置において、
前記取付板は、前後方向に貫通した孔を前記スピーカ保護板の長手方向における両側に有し、
前記スピーカ保護板の長手方向における両側の側端部に、夫々側端覆体が設けられており、
該側端覆体は、前記スピーカ保護板を前後方向から挟む溝部が設けられており、該溝部に前記側端部が挿入されることによって前記側端部を覆う覆部と、前記孔に挿入し、先端に設けられた係止部が前記孔の後端周縁にて前記取付板を係止する挿入部とを有する
ことを特徴とする表示装置。
【請求項２】
前記挿入部は、前記孔の周面側に突出している突出部を備える
ことを特徴とする請求項１に記載の表示装置。
【請求項３】
前記溝部前面又は溝部背面にはリブが設けられており、
該リブと前記スピーカ保護板とが接触している
ことを特徴とする請求項１又は２に記載の表示装置。
【請求項４】
前記溝部前面は前記溝部背面よりも前記長手方向の長さが短い
ことを特徴とする請求項３に記載の表示装置。
【請求項５】
前記溝部の底部と前記側端部との間には、間隙が設けられている
ことを特徴とする請求項１から４までのいずれか一つに記載の表示装置。
【請求項６】
スピーカと、帯状をなし、該スピーカの前方に設けられたスピーカ保護板と、該スピーカ保護板を前面に取り付ける取付板とを備えるスピーカ装置において、
前記取付板は、前後方向に貫通した孔を前記スピーカ保護板の長手方向における両側に有し、
前記スピーカ保護板の長手方向における両側の側端部に、夫々側端覆体が設けられており、
該側端覆体は、前記スピーカ保護板を前後方向から挟む溝部が設けられており、該溝部に前記側端部が挿入されることによって前記側端部を覆う覆部と、前記孔に挿入し、先端に設けられた係止部が前記孔の後端周縁にて前記取付板を係止する挿入部とを有する
ことを特徴とするスピーカ装置。